(57)【要約】      （修正有）【課題】ドレンパンに流れるドレン水からスライムが発生することを抑制し、抗菌剤の消費量を抑制できる抗菌剤キットを備えた天井埋込型室内ユニットを提供する。【解決手段】熱交換器、送風機およびドレンパンを収容した室内ユニット本体を備える天井埋込型室内ユニットにおいて、ドレンパンのドレン水を吸い上げるドレンポンプ５７と、ドレンポンプ５７に接続され、室内ユニット本体の外にドレン水を排水するドレンホース８０と、ドレン水を抗菌する抗菌剤キット６１と、を備え、抗菌剤キット６１の収容部６３の下端６１Ａが、ドレンポンプ５７の運転によってドレンパンからドレン水が排水されて保たれるドレン水の水位となる運転時ラインＡよりも上方で、且つ、ドレンポンプ５７の運転停止によってドレンホース８０からドレン水が戻ることで上昇するドレン水の水位となる停止時ラインＢよりも下方に位置するように取り付けた。【選択図】図５
2017122526.tif 000002
【特許請求の範囲】
【請求項１】
熱交換器、送風機およびドレンパンを収容した室内ユニット本体を備える天井埋込型室内ユニットにおいて、
前記ドレンパンのドレン水を吸い上げるドレンポンプと、
前記ドレンポンプに接続され、前記室内ユニット本体の外にドレン水を排水するドレンホースと、
前記ドレン水を抗菌する抗菌剤キットと、を備え、
前記抗菌剤キットの収容部の下端が、前記ドレンポンプの運転によって前記ドレンパンからドレン水が排水されて保たれるドレン水の水位となる運転時ラインよりも上方で、且つ、前記ドレンポンプの運転停止によって前記ドレンホースからドレン水が戻ることで上昇するドレン水の水位となる停止時ラインよりも下方に位置するように取り付けられている、ことを特徴とする天井埋込型室内ユニット。
【請求項２】
前記ドレンパンは、高位から低位に連続するドレン水通路を有し、
前記ドレン水通路の終端部にドレン溜りを形成し、
前記抗菌剤キットは、前記ドレン溜りに備えられることを特徴とする請求項１に記載の天井埋込型室内ユニット。
【請求項３】
前記ドレンポンプと、前記抗菌剤キットと、が一体としてドレン水対策ユニットを形成し、
前記抗菌剤キットは、前記ドレン水対策ユニットに着脱自在に設けられていることを特徴とする請求項１または請求項２のいずれか一項に記載の天井埋込型室内ユニット。
【請求項４】
前記ドレン水対策ユニットは本体フレームを備え、
前記本体フレームには、前記ドレンポンプと、前記抗菌剤キットと、さらにフロートスイッチと、が設けられていることを特徴とする請求項１から請求項３のいずれか一項に記載の天井埋込型室内ユニット。
【発明の詳細な説明】
【技術分野】
【０００１】
本発明は、抗菌剤キットを備えた天井埋込型室内ユニットに関するものである。
【背景技術】
【０００２】
従来、天井埋込型室内ユニットは、略四方形に曲げられた熱交換器と、熱交換器の内側に設けられる送風機と、熱交換器の下面に設けられるドレンパンと、を備えて構成されている。
この種のドレンパンには、水抜き用の排水孔が備えられており、この排水孔にはドレンキャップが設けられ、このドレンキャップには、抗菌剤キットが一体形成されている（例えば、特許文献１参照）。
【先行技術文献】
【特許文献】
【０００３】
【特許文献１】特許第５３３５４４９号公報
【発明の概要】
【発明が解決しようとする課題】
【０００４】
上記ドレンキャップを排水孔に設ける場合、常時ドレンパンに流れるドレン水に抗菌剤が触れるため、スライムの発生を抑制できるが、抗菌剤の消費量は多くなり、抗菌剤キットの交換時期が早くなる。
本発明は、上述した事情に鑑みてなされたものであり、ドレンパンに流れるドレン水からスライムが発生することを抑制し、抗菌剤の消費量を抑制できる抗菌剤キットを備えた天井埋込型室内ユニットを提供することを目的とする。
【課題を解決するための手段】
【０００５】
上記目的を達成するために、本発明は、熱交換器、送風機およびドレンパンを収容した室内ユニット本体を備える天井埋込型室内ユニットにおいて、前記ドレンパンのドレン水を吸い上げるドレンポンプと、前記ドレンポンプに接続され、前記室内ユニット本体の外にドレン水を排水するドレンホースと、前記ドレン水を抗菌する抗菌剤キットと、を備え、前記抗菌剤キットの収容部の下端が、前記ドレンポンプの運転によって前記ドレンパンからドレン水が排水されて保たれるドレン水の水位となる運転時ラインよりも上方で、且つ、前記ドレンポンプの運転停止によって前記ドレンホースからドレン水が戻ることで上昇するドレン水の水位となる停止時ラインよりも下方に位置するように取り付けられている、ことを特徴とする。
【０００６】
また、本発明は、前記ドレンパンは、高位から低位に連続するドレン水通路を有し、前記ドレン水通路の終端部にドレン溜りを形成し、前記抗菌剤キットは、前記ドレン溜りに備えられることを特徴とする。
【０００７】
また、本発明は、前記ドレンポンプと、前記抗菌剤キットと、が一体としてドレン水対策ユニットを形成し、前記抗菌剤キットは、前記ドレン水対策ユニットに着脱自在に設けられていることを特徴とする。
【０００８】
また、本発明は、前記ドレン水対策ユニットは本体フレームを備え、前記本体フレームには、前記ドレンポンプと、前記抗菌剤キットと、さらにフロートスイッチと、が設けられていることを特徴とする。
【発明の効果】
【０００９】
本発明によれば、抗菌剤キットの収容部の下端が、運転時ラインよりも上方に位置し、停止時ラインよりも下方に位置するように、抗菌剤キットが取り付けた。
この構成によれば、ドレンポンプの運転中は、ドレンポンプからドレンパンに溜まったドレン水が続けて吸い上げられるため、抗菌剤キットがドレン水に浸りにくい。ドレンポンプの運転を停止した場合には、ドレンポンプ中のドレン水がドレンパンに戻るためドレンパンに溜まるドレン水の水位が上昇し、抗菌剤キットがドレン水に浸る。
そのため、ドレンポンプの運転中には原則として抗菌剤キットをドレン水に浸らせることがなく、ドレンポンプの運転を停止した場合に抗菌剤キットをドレン水に浸らせることができ、ドレンパンに流れるドレン水からスライムが発生することを抑制し、抗菌剤の消費量を抑制できる抗菌剤キットを備えた天井埋込型室内ユニットを提供できる。
【図面の簡単な説明】
【００１０】
【図１】本発明の実施の形態に係る空気調和装置の天井埋込型室内ユニットの内部構造を示す断面図である。
【図２】化粧パネルを取り外した状態で天井埋込型室内ユニットを下方側から見た平面図である。
【図３】ドレンパンにドレン水対策ユニットが配置されている状態の平面図である。
【図４】ドレンパンにドレン水対策ユニットが配置されている状態の斜視図である。
【図５】ドレンパンにドレン水対策ユニットが配置されている状態を側面から見た模式図である。
【発明を実施するための形態】
【００１１】
以下、本発明の一実施の形態を、図面を参照して説明する。
図１は、本発明の実施の形態に係る空気調和装置の天井埋込型室内ユニット１０の内部構造を示す断面図である。
なお、以下の説明において、上下、内外とは、天井１１に設置された天井埋込型室内ユニット１０を基準として説明している。また、空調後の空気が吹き出される空間を被調和室としている。
【００１２】
天井埋込型室内ユニット１０は、建屋の天井１１と天井１１の下方に設置された天井板１２との間の天井空間１３に設置される。天井埋込型室内ユニット１０は、室内ユニット本体１４と、室内ユニット本体１４の下側開口を覆う化粧パネル３０とを備えている。
室内ユニット本体１４は、下面の略全面が開口した略箱型の筐体１５を備える。室内ユニット本体１４は、筐体１５の内部に、発泡スチロール製の断熱部材１６と、熱交換器１７と、送風機１８と、熱交換器１７のドレン水を受けるドレンパン１９と、送風機１８に吸い込まれる空気を整流するベルマウス２０とを備える。
筐体１５の外側面の角部には、吊り用金具２１が取り付けられている。室内ユニット本体１４は、天井１１から垂れ下がる吊りボルト２２に吊り用金具２１が連結されることで、天井１１から吊り下げられた状態で設置される。
【００１３】
化粧パネル３０は、室内ユニット本体１４の下面の開口を覆うように平面視で略四角形の板状に形成されている。
化粧パネル３０の中央部分には、ベルマウス２０に連通するパネル側吸い込み口３１が形成されている。化粧パネル３０には、パネル側吸い込み口３１を覆う吸い込みグリル３２が着脱可能に取り付けられている。吸い込みグリル３２の室内ユニット本体１４側には、空気中の塵などを除去するためのフィルタ３３が設けられている。
【００１４】
化粧パネル３０のパネル側吸い込み口３１の外側であって化粧パネル３０の外周部の各辺に沿った位置には、空調後の空気を被調和室に送るパネル側吹出口３４がそれぞれ形成されている。すなわち、パネル側吹出口３４は、平面視で略四角形の化粧パネル３０の各辺に沿うように設けられており、パネル側吹出口３４から４方向に空気が吹き出される。
【００１５】
図２は、化粧パネル３０を取り外した状態で天井埋込型室内ユニット１０を下方側から見た平面図である。
熱交換器１７は、送風機１８の略全体を側方から囲うように、板状の熱交換器を平面視で略四角形状に折り曲げるようにして形成されている。
熱交換器１７は、冷房運転時には冷媒の蒸発器として機能し、暖房運転時には冷媒の蒸発器として機能する。熱交換器１７は、室内ユニット本体１４の内部に吸い込まれる室内の空気と冷媒との熱交換を行って、冷房運転時には空調室内の空気を冷却し、暖房運転時には室内の空気を加熱することができるように構成されている。
【００１６】
ドレンパン１９は、図１に示すように、熱交換器１７で発生するドレン水を受けることができるよう熱交換器１７の下方に配置される。ドレンパン１９は発泡スチロール製である。
ドレンパン１９は、筐体１５の下面の開口の略全体を塞ぐように略矩形の板状に形成されている。ドレンパン１９は、平面視において中央部に、送風機１８に吸い込まれる空気が通るドレンパン側吸込み口２５（吸込み通路）を備える。また、ドレンパン１９は、ドレンパン側吸込み口２５の外側で、各パネル側吹出口３４に重なる位置に、被調和室へ吹き出される空気が通るドレンパン側吹出口２６を備える。ドレンパン側吹出口２６は、筐体１５の側板１５ａに沿って延びる長方形状に形成されている。
【００１７】
さらに、ドレンパン１９は、熱交換器１７の下端部が収容される凹状の熱交換器収容部２７を備える。熱交換器収容部２７は、ドレンパン側吹出口２６とドレンパン側吸込み口２５との間に形成されており、ドレンパン１９の外周部に沿って一周する水路状に形成されている。
熱交換器収容部２７は、熱交換器１７の内周部の下面に当接する受け面部２７ａと、受け面部２７ａの外側で受け面部２７ａよりも一段低く形成されたドレン水通路２７ｂとを備える。ドレン水通路２７ｂは、熱交換器１７の外周部の下面の下方に位置する。
【００１８】
図２は、化粧パネル３０を取り外した状態で天井埋込型室内ユニット１０を下方側から見た平面図である。
ドレン水通路２７ｂは、平面視では、熱交換器１７の下面に沿う四角形状に形成されている。このドレン水通路２７ｂは、その４つの角部の内の１か所に、ドレン水通路２７ｂの位置が最も高くなる最高地点２９Ｈを備える。
また、ドレン水通路２７ｂは、最高地点２９Ｈを備えた角部の隣の１か所の角部に、ドレン水通路２７ｂの位置が最も低くなる最深部２９Ｌを備える。
すなわち、ドレンパン１９は、高位から低位になだらかに連続するドレン水通路２７ｂを有し、このドレン水通路２７ｂの終端部に平坦なドレン溜り（最深部２９Ｌ）が形成されている。
【００１９】
ドレン水通路２７ｂは、最高地点２９Ｈから隣の角部である最深部２９Ｌまで下る第１の通路４１と、最高地点２９Ｈから他の２箇所の角部を経て最深部２９Ｌまで下る第２の通路４２とを備える。これら第１の通路４１および第２の通路４２は、スロープ状に形成され、徐々に深さを変えている。
第２の通路４２は、第１の通路４１よりも緩い傾斜且つ第１の通路４１よりも長い経路で最高地点２９Ｈから最深部２９Ｌまで下る。
ドレン水は、図２に破線の矢印で示されるように、第１の通路４１及び第２の通路４２をそれぞれ通って高い位置から最深部２９Ｌへ流れる。
最深部２９Ｌの上方は、ドレン水対策ユニット５０を配置する配置スペースＳを構成している。
【００２０】
図３は、ドレンパン１９にドレン水対策ユニット５０が配置されている状態の平面図である。図４は、ドレンパン１９にドレン水対策ユニット５０が配置されている状態の斜視図である。図５は、ドレンパン１９にドレン水対策ユニット５０が配置されている状態を側面から見た模式図である。
配置スペースＳは、平面視で略三角形状に形成されており、一辺が熱交換器１７の一角部１７Ａで形成され、他の二辺が筐体１５の内部に設けられる断熱部材１６で形成されている。
配置スペースＳには、ドレン水対策ユニット５０が配置されている。すなわち、ドレン水対策ユニット５０は、ドレンパン１９の最深部２９Ｌの上方に配置されている。
【００２１】
図５に示すように、このドレン水対策ユニット５０は、本体フレーム５１を備える。この本体フレーム５１は、略水平に形成される水平部５３と、この水平部５３から延出する抗菌剤キット着脱部５５とを備える。
抗菌剤キット着脱部５５の下端面５６には開口部５６Ａが設けられている。この開口部５６Ａには、周壁から開口部５６Ａの内側に延出する抗菌剤キット係止突起５６Ｂが設けられている。
【００２２】
抗菌剤キット６１は、例えば銀イオン付着ビーズなどの抗菌剤１００を収容する収容部６３と、収容部６３から延出し抗菌剤キット着脱部５５の開口部５６Ａに着脱可能とされる止め部６５と、を備えている。
止め部６５は可とう性のある部材で構成されている。止め部６５の先端６５Ａは、略水平方向外側に延出する係止片６５Ｂを備える。この係止片６５Ｂは、抗菌剤キット着脱部５５の開口部５６Ａに内側から止め部６５を挿入することで、抗菌剤キット係止突起５６Ｂに係止されている。これにより、抗菌剤キット着脱部５５の下端面５６には、抗菌剤キット６１が着脱自在に取付けられている。
収容部６３は、下面および上面に開口６４が備えられる。収容部６３の周方向にわたる側壁６２には、開口は設けられていない。
【００２３】
本体フレーム５１の水平部５３下面の中央部には、ドレンポンプ５７が設けられている。このドレンポンプ５７の下端部には、ドレン水を吸い上げる吸込口５８が設けられている。また、ドレンポンプ５７には、吐出口５９が設けられ、吐出口５９には、ドレンホース８０が接続されている。ドレンホース８０は上方に立ち上げられて、室内ユニット本体１４の外にドレン水を排水する。
なお、このドレンホース８０は、天井埋込型室内ユニット１０を建屋のどの場所に設置するかにより長さが異なる。ドレンホース８０の長さが長い場合には、ドレンポンプ５７の運転を停止した場合にドレンホース８０の長さの分だけ多量のドレン水がドレンパン１９に戻る。ドレンホース８０の長さが短い場合には、ドレンポンプ５７の運転を停止した場合にドレンパン１９に戻るドレン水の量は少なくなる。
水平部５３の端部には、ドレン水通路２７ｂに所定以上溜まったドレン水の水面を検知するフロートスイッチ６０が設けられている。
【００２４】
本体フレーム５１には、ドレンポンプ５７と、抗菌剤キット６１と、フロートスイッチ６０とが、それぞれ別個に取付けられている。そのため、本体フレーム５１の位置を決めることで、これらドレンポンプ５７、抗菌剤キット６１、およびフロートスイッチ６０の配置位置を決めることができる。すなわち、ドレン水対策ユニット５０の位置を決めるだけで、ドレンポンプ５７、抗菌剤キット６１、およびフロートスイッチ６０すべての位置を決めることができる。
【００２５】
また、ドレン水対策ユニット５０は、本体フレーム５１を介して、中央部にドレンポンプ５７を配置し、平面視で略三角形状となるようにドレンポンプ５７の両端に抗菌剤キット６１およびフロートスイッチ６０を配置している。
このような配置構成とすることで、平面視略三角形状を備える配置スペースＳに対応させた配置が可能となり、限られた大きさである筐体１５内を有効活用できる。
【００２６】
ドレン水対策ユニット５０をドレンパン１９のドレン水通路１７ｂのうち、最深部２９Ｌに設けた状態において、抗菌剤キット６１の下端６１Ａの高さ方向の位置は、ドレンポンプ５７の吸込口５８の下端５８Ａの高さ方向の位置よりも上方に位置している。
また、抗菌剤キット６１の下端６１Ａの高さ方向の位置は、フロートスイッチ６０の下端６０Ａの高さ方向の位置よりも下方に位置している。
【００２７】
また、抗菌剤キット６１の収容部６３の下端６１Ａが、図５に示す運転時ラインＡよりも上方に位置し、図５に示す停止時ラインＢよりも下方に位置するように、抗菌剤キット６１が取り付けられている。
運転時ラインＡは、ドレンポンプ５７の運転時にドレンパン１９に通常溜まると想定されているドレン水の水面を示している。停止時ラインＢは、ドレンポンプ５７の運転停止時に、ドレンホース８０中のドレン水がドレンパン１９に戻ることでドレンパン１９に溜まると想定されているドレン水の水面を示している。
なお、運転時ラインＡおよび停止時ラインＢの高さ位置は、ドレンホース８０の長さ、および室内ユニット本体１４の設置場所の気温や湿度の状況等により、適宜に変更が可能である。
【００２８】
ドレン水通路１７ｂの最深部２９Ｌには、排水孔７０が設けられている。この排水孔７０は、ドレンポンプ５７の吸込口５８の直径よりも水平方向に長い距離を備える凹部とされている。
この排水孔７０には、ドレンポンプ５７の吸込口５８が配置されている。
排水孔７０は、水抜き栓であるドレンキャップ７１を備える。通常時に閉じられているドレンキャップ７１は、各種メンテナンス時に取り外され、ドレンパン１９に溜まったドレン水を排出したり、ドレンパン１９の清掃作業が行われる。
【００２９】
次に、ドレンパン１９内でのドレン水の水位について説明する。
まず、ドレンポンプ５７が運転している場合、ドレンポンプ５７の吸込口５８から最深部２９Ｌに溜まるドレン水が吸い込まれ続け、ドレン水はドレンホース８０を介して室内ユニット本体１４の外に排出され続ける。そのため、ドレン水の水面の高さは一定に保たれる。ドレンポンプ５７が運転している場合、ドレン水の水面の高さは、吸込口５８の下端５８Ａよりも上方であり、図５に示す運転時ラインＡに保たれる。この場合、ドレン水が吸込口５８から排出され続けるため、ドレン水は、特別な事情によるドレン水発生の増加がなければ、抗菌剤キット６１に触れない。
一方、ドレンポンプ５７の運転を停止した場合、ドレンホース８０で排出途中のドレン水がドレンパン１９に戻り、ドレン水の水面の高さは、運転時ラインＡの高さより高くなり、図５に示す停止時ラインＢに保たれる。この場合、ドレン水が抗菌剤キット６１に触れるため、ドレンパン１９に溜まったドレン水は、抗菌される。
【００３０】
以上説明したように、本実施の形態によれば、ドレンパン１９のドレン水を吸い上げるドレンポンプ５７と、ドレンポンプ５７に接続され、上方に立ち上がり、室内ユニット本体１４の外にドレン水を排水するドレンホース８０と、ドレン水を抗菌する抗菌剤キット６１と、を備え、抗菌剤キット６１の収容部６３の下端６１Ａが、運転時ラインＡよりも上方に位置し、停止時ラインＢよりも下方に位置するように、抗菌剤キット６１を取付けた。
この構成によれば、ドレンポンプ５７の運転中は、ドレンポンプ５７からドレンパン１９に溜まったドレン水が続けて吸い上げられるため、抗菌剤キット６１がドレン水に浸りにくい。ドレンポンプ５７の運転を停止した場合には、ドレンポンプ５７中のドレン水がドレンパン１９に戻るためドレンパン１９に溜まるドレン水の水位が上昇し、抗菌剤キット６１がドレン水に浸る。
そのため、ドレンポンプ５７の運転中には原則として抗菌剤キット６１をドレン水に浸らせることがなく、ドレンポンプ５７の運転を停止した場合に抗菌剤キット６１をドレン水に浸らせることができ、ドレンパン１９に流れるドレン水からスライムが発生することを抑制し、抗菌剤１００の消費量を抑制できる抗菌剤キット６１を備えた天井埋込型室内ユニット１０を提供できる。
【００３１】
また、本実施の形態によれば、ドレンパン１９は、最高地点２９Ｈから最深部２９Ｌに連続するドレン水通路２７ｂを有し、ドレン水通路２７ｂの終端部に最深部２９Ｌ（ドレン溜り）を形成し、抗菌剤キット６１は、最深部２９Ｌに配置されている。
この構成によれば、ドレン溜まりである最深部２９Ｌにドレン水が集まるため、ドレン水が溜まる状況においては、溜まったドレン水全体を抗菌剤キット６１により抗菌でき、ドレン水通路２７ｂ全域においてスライムの発生を抑制できる。
【００３２】
また、本実施の形態によれば、ドレンポンプ５７と、抗菌剤キット６１と、が一体としてドレン水対策ユニット５０を形成し、抗菌剤キット６１は、ドレン水対策ユニット５０に着脱自在に設けられている。
そのため、抗菌剤キット６１の交換時期がきた場合、内部に抗菌剤１００を備える抗菌剤キット６１ごと交換が可能であり、抗菌剤１００の交換を容易にできる。
【００３３】
また、本実施の形態によれば、ドレン水対策ユニット５０は本体フレーム５１を備え、本体フレーム５１は、ドレンポンプ５７と、抗菌剤キット６１と、さらにフロートスイッチ６０と、を備える。
そのため、ドレンポンプ５７と、抗菌剤キット６１と、フロートスイッチ６０と、がドレン水対策ユニット５０に固定されており、ドレン水対策ユニット５０の位置を決めることで、ドレンポンプ５７、抗菌剤キット６１、およびフロートスイッチ６０の位置を決めることができる。ドレンポンプ５７、抗菌剤キット６１、およびフロートスイッチ６０の３部材相互間の位置関係を容易に決定でき、これら３部材の位置がずれにくい状態を保つことができる。
【００３４】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００３５】
例えば、抗菌剤キット６１の下端６１Ａの高さ位置は、ドレンホース８０の長さに応じて適宜に調整が可能である。また、抗菌剤キット６１の下端６１Ａの高さ位置は、気温や湿度等の状況によりドレン水の発生し易い場所に室内ユニット本体１４を置くかどうかにより、適宜に調整可能である。
【符号の説明】
【００３６】
１０  天井埋込型室内ユニット
１４  室内ユニット本体
１５  筐体
１６  断熱部材
１７  熱交換器
１７Ａ  熱交換器の一角部
１８  送風機
１９  ドレンパン
２７ｂ  ドレン水通路
２９Ｈ  最高地点
２９Ｌ  最深部（ドレン溜まり）
５０  ドレン水対策ユニット
５１  本体フレーム
５３  水平部
５５  抗菌剤キット着脱部
５６  抗菌剤キット着脱部の下端面
５６Ａ  開口部
５６Ｂ  抗菌剤キット係止突起
５７  ドレンポンプ
５８  吸込口
５９  吐出口
６０  フロートスイッチ
６１  抗菌剤キット
６３  収容部
６５  止め部
６５Ａ  止め部の先端
６５Ｂ  係止片
７０  排水孔
８０  ドレンホース
１００  抗菌剤
Ｓ  配置スペース
【図１】
2017122526.tif 000003
【図２】
2017122526.tif 000004
【図３】
2017122526.tif 000005
【図４】
2017122526.tif 000006
【図５】
2017122526.tif 000007